(57)【要約】【課題】半導体の製造工程において生じる不要なタンタル金属、タンタルの酸化物、窒化物及びハロゲン化物を、半導体材料にダメージを与えることなく溶解する組成物を提供する。【解決手段】炭酸ナトリウム、炭酸水素ナトリウム等の炭酸塩と、過酸化水素、オゾン及び過酸等の酸化剤及び水を含んで成るタンタル溶解用組成物であり、この組成物は更にアルコール等の水溶性有機溶媒を含有してもよく、この組成物を０〜１００℃でタンタルと接触させることにより、タンタルを溶解させることができる。【選択図】選択図なし【特許請求の範囲】
【請求項１】
水、炭酸塩及び酸化剤を含んで成るタンタル溶解用組成物。
【請求項２】
タンタルが、タンタル金属並びにタンタルの酸化物、窒化物及びハロゲン化物から成る群より選ばれる少なくとも一種である請求項１に記載のタンタル溶解用組成物。
【請求項３】
炭酸塩が、炭酸塩、炭酸水素塩及びカルバミン酸塩から成る群より選ばれる少なくとも一種である請求項１又は請求項２に記載のタンタル溶解用組成物。
【請求項４】
酸化剤が、過酸化水素、オゾン及び過酸から成る群より選ばれる少なくとも一種である請求項１乃至３のいずれかに記載のタンタル溶解用組成物。
【請求項５】
請求項１乃至４のいずれかに記載の組成物に、更に水溶性有機溶媒を添加してなるタンタル溶解用組成物。
【請求項６】
水溶性有機溶媒の含量が、タンタル溶解用組成物の総重量を基準に０．１〜７０重量％である請求項５記載のタンタル溶解用組成物。
【請求項７】
水溶性有機溶媒が、アルコール類、エーテル類、アミド類、エステル類、スルホキシド類及びアミンオキシド類から成る群より選ばれる少なくとも一種である請求項5又は請求項6記載のタンタル溶解用組成物。
【請求項８】
アルコール類が、メタノール、エタノール、プロパノール、ブタノール、メトキシエタノール、メトキシプロパノール、エトキシエタノール、エトキシプロパノール、ブトキシエタノール及びブトキシプロパノールから成る群より選ばれる少なくとも一種である請求項７記載のタンタル溶解用組成物。
【請求項９】
エーテル類が、テトラヒドロフラン及び／又はジオキサンである請求項７記載のタンタル溶解用組成物。
【請求項１０】
アミド類が、ジメチルホルムアミド、ジメチルアセトアミド、メチルピロリドン及びジメチルイミダゾリジノンから成る群より選ばれる少なくとも一種である請求項７記載のタンタル溶解用組成物。
【請求項１１】
エステル類が、炭酸ジメチル、エチレンカーボネート及びプロピレンカーボネートから成る群より選ばれる少なくとも一種である請求項７記載のタンタル溶解用組成物。
【請求項１２】
スルホキシド類が、ジメチルスルホキシドである請求項７記載のタンタル溶解用組成物。
【請求項１３】
アミンオキシド類が、メチルモルホリンオキシドである請求項７記載のタンタル溶解用組成物。
【請求項１４】
請求項１乃至１３のいずれかに記載のタンタル溶解用組成物を使用し、半導体製造工程で生成する不純物であるタンタルを溶解する方法。
【請求項１５】
タンタルの溶解を、０〜１００℃の温度で行う請求項１４記載のタンタルを溶解する方法。
【発明の詳細な説明】
【０００１】
【発明の属する技術分野】
本発明は、タンタル溶解用組成物及びそれを用いた溶解方法に関する。
【０００２】
【従来の技術】
タンタルは、半導体製造工程、特に銅を配線材料に使用した半導体の製造工程において、極めて重要な物質である。タンタル金属、窒化タンタル、有機タンタル化合物などを使用して半導体を製造する際、不必要なタンタル、タンタル化合物が、望ましくない場所に付着、生成することがある。タンタル金属は強酸に溶解せず、王水にも溶解しない。ただ高腐食性のフッ化水素酸には溶解することが一般に知られている。またタンタル化合物も水に難溶のものが多い。
【０００３】
この様にタンタルは非常に溶解し難い物質であるため、このタンタルを除去することは容易でない。特に一般的に半導体を形成するその他の材料が、タンタルよりダメージを受けやすいため、不必要なタンタルを除去するのは極めて難しい。そこで、半導体材料にダメージを与えることなく、タンタルを溶解する組成物の開発が望まれていた。
【０００４】
【発明が解決しようとする課題】
上述したように、半導体材料にダメージを与えず、タンタルを溶解する組成物の開発が望まれていた。そのため、本発明の目的は、半導体材料にダメージを与えず、タンタルを溶解する組成物及びそれを用いた溶解方法を提供することにある。
【０００５】
【課題を解決するための手段】
本発明者は、タンタル溶解用組成物について鋭意検討した結果、炭酸塩と酸化剤を使用することにより、半導体材料にダメージを与えることなく、タンタルを室温でも容易に溶解できることを見い出し、本発明を完成させるに至った。
【０００６】
すなわち、本発明は、炭酸塩及び酸化剤から成るタンタル溶解用組成物及びそれを用いた溶解方法である。
【０００７】
以下に本発明をさらに詳細に説明する。
【０００８】
本発明のタンタル溶解用組成物は、水、炭酸塩及び酸化剤を含んで成るものである。
【０００９】
本発明において、溶解対象となるタンタルは、タンタル金属並びにタンタルの酸化物、窒化物及びハロゲン化物から成る群より選ばれる少なくとも一種である。これらのうち、半導体の製造過程において、不必要な物質として存在しているタンタル金属及び／又はタンタル化合物が溶解対象である。
【００１０】
本発明の組成物において、炭酸塩とは、炭酸塩、炭酸水素塩、カルバミン酸塩をいう。炭酸塩を形成するカチオンは、アンモニウムイオン、アルカリ金属イオン、アルカリ土金属イオンなどを例示することができる。
【００１１】
本発明の組成物において、炭酸塩の具体例としては、炭酸アンモニウム、炭酸ナトリウム、炭酸水素ナトリウム、炭酸水素アンモニウム、カルバミン酸ナトリウム、カルバミン酸アンモニウム等を挙げることができるが、金属イオンの存在を嫌う半導体の製造においては、アンモニウムイオンを含有する、炭酸アンモニウム、炭酸水素アンモニウム、カルバミン酸アンモニウムが好ましい。
【００１２】
本発明の組成物において使用できる酸化剤を例示すると、オゾン、過酸化水素、過炭酸、過硫酸、過ホウ酸などの過酸、過酸化ベンゾイルなどの有機過酸化物が挙げられるが、安価なオゾン、過酸化水素、過酸が好ましい。
【００１３】
なお、過炭酸塩を使用する場合には、過炭酸塩が分解して炭酸塩を発生するため、必ずしも炭酸塩と併用する必要はない。
【００１４】
炭酸塩と酸化剤との組成は、化合物の種類によって変動するため、一該に決定することは困難であるが、炭酸塩が０．０１〜５０重量％、酸化剤が０．１〜５０％、好ましくは、炭酸塩が０．１〜４０重量％、酸化剤が１〜３５％である。
【００１５】
炭酸塩、酸化剤が前記範囲より少ないとタンタルを溶解する性能が工業的に満足できないほど低くなり、炭酸塩が５０％を越えると炭酸塩が溶解し難くなる。また酸化剤が５０％を超えると、酸化剤の分解が激しくなるため、工業的に使用することが困難になる。
【００１６】
本発明の組成物において、炭酸塩及び酸化剤は水に溶解させて使用する。水だけでは溶解しない場合やタンタルの溶解を向上させるため、あるいは半導体材料へのダメージを減らすために、更に有機溶媒を添加しても良い。
【００１７】
使用できる有機溶媒は、水に溶解するものなら特に制限はないが、例えば、メタノール、エタノール、プロパノール、ブタノール、メトキシエタノール、メトキシプロパノール、エトキシエタノール、エトキシプロパノール、ブトキシエタノール、ブトキシプロパノールなどのアルコール類、テトラヒドロフラン、ジオキサンなどのエーテル類、ジメチルホルムアミド、ジメチルアセトアミド、メチルピロリドン、ジメチルイミダゾリジノンなどのアミド類、炭酸ジメチル、エチレンカーボネート、プロピレンカーボネートなどのエステル類、ジメチルスルホキシドなどのスルホキシド類、メチルモルホリンオキシドなどのアミンオキシド類などが挙げられる。
【００１８】
本発明の組成物に添加できる上述のような水溶性有機溶媒の含量は、タンタル溶解用組成物の総重量を基準に０．１〜７０重量％が好ましく、１〜５０重量％がさらに好ましい。水溶性有機溶媒の含量が１重量％未満であると、水溶性有機溶媒を添加した効果は小さく、７０重量％を超えると、タンタルの溶解速度が小さくなる場合がある。
【００１９】
本発明の組成物において、その他の塩、酸及び／又は塩基などを加え、pHを調整することもできる。
【００２０】
本発明の組成物を使用してタンタルを溶解する温度は０〜１００℃が好ましく、より好ましくは１０〜９０℃である。０℃未満では、タンタルの溶解速度が遅くなって現実的でない場合があり、１００℃を越える温度では水の蒸発のため、濃度が一定とならず、充分にタンタルを溶解できない場合がある。
【００２１】
本発明の組成物は、タンタルを溶解処理する様々な分野で使用でき、例えば、タンタル金属の表面処理、半導体製造工程における不純物除去などが挙げられる。
【００２２】
しかし、その中でも特に半導体製造工程で副生するタンタルを除去するのに使用するのが好ましい。半導体製造工程においては、一般的なタンタル溶解方法ではダメージを受けやすい材料を使用しており、温和な条件でタンタルを溶解できる本発明のような組成物の使用が適している。
【００２３】
【実施例】
本発明を以下の実施例により更に詳細に説明するが、本発明はこれらに限定されるものではない。
【００２４】
なお標記を簡略にするため、以下の略記号を使用する。
ＳＰＣ：過炭酸ナトリウム
ＳＣ：炭酸ナトリウム
ＡＨＣ：炭酸水素アンモニウム
ＣＡ：カルバミン酸アンモニウム
ＨＰＯ：過酸化水素
ＢＰ：ブトキシプロパノール
ＯＺＮ：オゾン水
（測定方法）
以下の実施例において、タンタルの溶解速度は、シリコンウエハ上にタンタル金属を２００ｎｍの厚さにスパッタ蒸着させた基板を試験液に浸漬し、そのタンタル膜厚をシート抵抗値で測定し、単位時間あたりの膜厚変化で求めた。
【００２５】
実施例１〜５、比較例１〜２
表１記載の組成（残部は水）の試験液に、上述のようにタンタルをスパッタ蒸着させたシリコンウエハを表１記載の温度で浸漬した。タンタルの溶解速度を表１に示した。
【００２６】
【表１】
2004204266.tif 000002
【発明の効果】
以上、詳述したように、本発明のタンタル溶解用組成物を用いると、０〜１００℃という温和な条件でタンタルを溶解することができ、その工業的価値は高い。